(57)【要約】本発明は、吸収又は収着ドライヤ又はクリーナを再生させる方法に係る。当該方法は、吸収又は吸着される物質が吸収又は吸着表面から分離される温度まで吸収又は吸着表面を周期的に加熱することによるものである。該表面は、固定されて維持され、加熱手段の作用に対して周期的に露出される。該表面の異なる部分は、連続的に加熱され得る。即ち加熱手段の活性部分は、表面に沿って移動される。本発明はまた、表面を作用に対して周期的に露出されるよう適合される加熱手段を備えられる、この方法を実行する装置に係る。かかる加熱手段は、表面に沿って分布されて配置される複数の加熱素子、及び加熱素子のスイッチを交互にオン及びオフにするコントロールを有し得る。
2009511261.tif 000002
【特許請求の範囲】
【請求項１】
少なくとも１つの収着表面を有する収着ドライヤ又はクリーナを再生する方法であって、
当該方法は、収着される物質が前記収着表面から分離される温度まで前記収着表面を周期的に加熱することによるものであり、
前記表面は、固定されて維持され、加熱手段の作用に対して周期的に露出される、
ことを特徴とする方法。
【請求項２】
前記表面の異なる部分は連続的に加熱される、
ことを特徴とする請求項１記載の方法。
【請求項３】
前記加熱手段の少なくとも活性部分は、前記表面に沿って移動される、
ことを特徴とする請求項１又は２記載の方法。
【請求項４】
前記収着ドライヤ又はクリーナの一部の前記再生中、前記収着ドライヤ又はクリーナの残りの部分は、通常通り作動し続ける、
ことを特徴とする請求項１乃至３のうちいずれか一項記載の方法。
【請求項５】
前記表面は、そこから分離される前記物質の沸点を下回る温度まで加熱される、
ことを特徴とする請求項１乃至４のうちいずれか一項記載の方法。
【請求項６】
少なくとも１つの収着表面を有する収着ドライヤ又はクリーナを再生する装置であって、
収着される物質が前記表面から分離される温度まで前記表面を周期的に加熱する手段を有し、
前記表面は、固定されて維持され、前記加熱手段は、その作用に対して前記表面を周期的に露出するよう適合される、
ことを特徴とする再生装置。
【請求項７】
前記加熱手段は、前記表面の異なる部分を連続的に加熱するよう適合される、
ことを特徴とする請求項６記載の再生装置。
【請求項８】
前記加熱手段は、前記表面に沿って移動可能である少なくとも１つの活性部分を有する、
ことを特徴とする請求項6又は７記載の再生装置。
【請求項９】
前記加熱手段は、前記表面に沿って分布されて配置される複数の加熱素子、及び、前記加熱素子のスイッチを交互にオン及びオフに切り替えるコントロールを有する、
ことを特徴とする請求項８記載の再生装置。
【請求項１０】
前記加熱素子は、ネットワークにおいて接続される加熱ワイヤである、
ことを特徴とする請求項９記載の再生装置。
【請求項１１】
前記加熱素子及び前記コントロールは、前記表面に対して接続されるキャリアにおいて収容される、
ことを特徴とする請求項９又は１０記載の再生装置。
【請求項１２】
前記加熱手段は、前記表面から分離される前記物質の沸点を下回る温度まで前記表面を加熱するよう適合される、
ことを特徴とする請求項６乃至１１のうちいずれか一項記載の再生装置。
【発明の詳細な説明】
【技術分野】
【０００１】
本発明は、添付の請求項１記載の方法及び請求項６記載の装置に係る。
【背景技術】
【０００２】
収着ドライヤ（乾燥体、ｄｒｙｅｒ）又はクリーナ（ｃｌｅａｎｅｒ）は、特には気体である、存在する水分又は汚れを吸収又は吸着することによって、媒体を乾燥させるかあるいは綺麗にするよう使用される。吸収とは、媒体から水分を引き出す材料が物理的又は化学的変化を受ける際、例えば水分へと吸収される、ことである。吸着とは、引き出された（ｅｘｔｒａｃｔｅｄ）水分が材料の表面上又は表面において単に素早く保持される際のことである。いずれの現象も、以下においては「収着」又は「収着する」という用語を使用して要約される。この原理の適用は、そこに存在する水を収着することによる周囲空気の乾燥等であり、例えば温度調節（ｃｌｉｍａｔｅ  ｃｏｎｔｒｏｌ）において行われる。他の例は、パイプシステムを通って運ばれるメタン等の気体の除去であり、そこに存在するメタン水素化物を収着することによる。
【０００３】
このような流れる気体の乾燥又は除去は、実際には二段階工程である。第１の工程段階では、所望されない物質、即ち水分又は汚れは、かかる物質に対してより大きな親和性を有する材料又は気体自体よりも低い蒸気圧を有する材料に沿って気体を導くことによって、乾燥又は除去されるよう気体流から収着される。工程の第２の段階において、収着される物質は、放出される気体流等である他の媒体に対して再度放される（ｒｅｌｉｎｑｕｉｓｈｅｄ）。収着材料から物質を解放するためには、温度は一般的に、その蒸気圧を放出される気体流の蒸気圧を上回るレベルまで上げるよう、大幅に上昇されなければならない。
【０００４】
温度調節における空気の乾燥の例において、水分は、外部から引き込まれる空気から引き出され、この水分は、建物（ｔｈｅ  ｂｕｉｌｄｉｎｇ）から引き出される空気に再度放され、また外部に吐き出される。外気から水を引き出すよう、空気は、シリカゲル等である強吸水性材料の層を有して覆われる表面に沿って案内される。水を再度放すよう、例えば排気（の一部）等である空気は、水の沸点を上回るまで加熱され、吸着剤材料に沿って案内される。その後、水蒸気は、そこから逃げ得、出て行く空気流に取り込まれる。この結果、吸着剤材料は、再生され（ｒｅｇｅｎｅｒａｔｅｄ）、再度、空気から大量の水を引き出すことができる。
【０００５】
実際には、半径方向において延在し且つ吸着剤材料を有して覆われる複数の表面を有する回転ホイールは、利用される。このホイールは、供給ダクトと排出ダクトとの間に配置され、その回転シャフトは、ダクトにおける空気の流れの方向に対して平行であり、覆われた表面が、一部の回転中（ｄｕｒｉｎｇ  ｐａｒｔ  ｏｆ  ａ  ｒｏｔａｔｉｏｎ）は供給ダクトを通って、また、回転の残りの部分に対しては（ｆｏｒ  ｔｈｅ  ｒｅｍａｉｎｉｎｇ  ｐａｒｔ  ｏｆ  ａ  ｒｏｔａｔｉｏｎ）排出ダクトを通って動くようにする。供給ダクトの通過中、覆われた表面は、吸気から水分を引き出し、排出ダクトの通過中は、この水が再度放される。表面が排出ダクトを通って動く短時間に連続して可能な限り多くの水を吸着材から解放するよう、ホイールは、水の沸点をはるかに上回って、例えば１８０℃まで加熱されなければならない。これは、沸点及びそれを上回るまで水を加熱するためだけではなく、水の蒸発熱がその比熱を大きく上回るため特には水を蒸発させるよう、多量のエネルギを要する。
【０００６】
収着ドライヤ又はクリーナのエネルギ消費量を激減させるよう、未公開（ｎｏｎ−ｐｒｅｐｕｂｌｉｓｈｅｄ）オランダ国特許出願番号１０２９８２２（特許文献１）において既に、所謂ＬＣＳＴ（低臨界溶解温度）ポリマを使用することが提案されている。ＬＣＳＴポリマは、所定の温度、臨界溶解温度、又は移行点まで分離される物質において溶解可能であるが、この臨界溶解温度を上回るともはや溶解可能ではないポリマであり、吸収される物質は、実際に拒絶される（ｒｅｐｅｌｌｅｄ）。溶解状態におけるポリマの安定性は、適切に選択される架橋剤によって確実なものとされる。移行点は、分離される物質の沸点を明らかに下回る。ＬＣＳＴポリマの移行点が大変低く、例えば６０−７０℃のオーダであるため、ポリマは、シリカゲル等の通常の吸収材料の場合において必要とされるよりはるかに少ない加熱を求める。更には、吸収される物質は、ＬＣＳＴポリマから解放されるよう蒸発される必要はなく、したがって、はるかに大半のエネルギを求める蒸発熱は減じられる。
【特許文献１】オランダ国特許出願番号１０２９８２２
【発明の開示】
【発明が解決しようとする課題】
【０００７】
本発明は、実効がより単純であり且つ上述された従来の再生方法より少ないエネルギを求める、収着ドライヤ又はクリーナを再生する方法を与える、ことを目的とする。本発明はまた、構造がより単純且つ安価であり且つ従来の再生装置より低いエネルギ消費量を有する、収着ドライヤ又はクリーナを再生する装置を与える、ことを目的とする。当該方法は、請求項１記載の方途の組合せによって達成される。本発明に従った再生装置は、請求項６記載の方途によって特徴付けられる。
【課題を解決するための手段】
【０００８】
低臨界溶解温度を有するポリマが使用される際には、吸収される物質を再度解放するよう供給される必要のある熱が大幅に少ない、という事実を利用して、本発明は、複雑な移動構造（ｍｏｖｉｎｇ  ｃｏｎｓｔｒｕｃｔｉｏｎｓ）に対する必要性は省かれ、再生段階は、吸収段階と同一の場所で、また所望に応じて同時に、行われ得る、という見識に基づく。故に、再生に対する吸収材料を有する表面は、固定されて維持され得、加熱手段の作用に対して周期的に露出され得る。
【０００９】
加熱手段の活性部分（ａｃｔｉｖｅ  ｐａｒｔ）は、表面に沿って移動し得、表面の異なる部分が一度に再生されるようにする。再生が収着ドライヤ又はクリーナの通常作動中に行われる際、分離に対する物質は、表面のより大きな部分にわたって通過する気体流から引き出される一方、物質は、その少量にわたって再度表面から放されている。物質の小さな部分は、再度気体流へと取り込まれる一方、より大きな部分は、表面に沿って収集空間まで流れる。収着ドライヤ又はクリーナの全有効性が僅かに低減することは事実であるが、その代償として、構造の大幅な単純化及びコストの低減が達成される。
【００１０】
本発明に従った方法の望ましく適用される変形は、従属請求項２−５において記載され、再生装置の望ましい実施例は、従属請求項７−１２の対象となっている。
【発明を実施するための最良の形態】
【００１１】
本発明はこれより、添付の図面を参照して、一実施例に基づいて明らかにされる。
【００１２】
収着ドライヤ又はクリーナ１は、上に収着（吸収又は吸着）材料３の層が配置される板状基材（ｐｌａｔｅ−ｌｉｋｅ  ｓｕｂｓｔｒａｔｅ）２によって形成される。板状基材２は、例えば空間に対して空気を供給するダクトの壁である、表面Ｓを画定する。収着材料３は、低臨界溶解温度ポリマであり、例えば、ポリオキサゾリン、ポリ（ジメチルアミノエチルメタクリラート）（ｐＤＭＡＥＭａ）、又はポリ（Ｎ−イソプロピルアクリルアミド）（ｐＮｉＰＡＡｍ）である。あるいは、自立のＬＣＳＴポリマを想定することは可能であり、したがって別個の物質の必要性は排除される。
【００１３】
ポリマをその臨界溶解温度まで加熱するよう、収着ドライヤ又はクリーナ１は、加熱手段４を更に備えられる。該手段は、ここではネットワークにおいて接続される加熱ワイヤ５等である複数の加熱素子の形状をとる。加熱手段４は更に、コントロール（ｃｏｎｔｒｏｌ）６を更に有し、ネットワークの異なる部分のスイッチが一度にオンにされる。このようにして加熱手段４の異なる部分は、周期的に活性され、加熱手段４の活性部分は、表面Ｓに沿って移動する。
【００１４】
加熱手段４は、基材２上に取り付けられるキャリア７上に配置される。図示される実施例では、キャリア７は、その上へと加熱素子５及びコントロール６がプリントされるフォイルの形状をとり、基材２と収着材料３の層との間において接着される。この結果、大変小型の構造が得られる。これが可能なのは、収着材料３が結局はＬＣＳＴポリマであるので低電力の供給のみを必要とするため、である。
【００１５】
収着ドライヤ又はクリーナ１の使用中、外気等である湿り空気ＭＡは、ファンを用いてダクトを通って吹き出されるか、引き込まれ、このダクトの各壁は、上方に収着材料３の層を有する基材２によって形成される。湿り空気流ＭＡが通り過ぎる際、水分Ｍは、収着材料３によってそこから引き出され、素早く保持される。このようにして乾燥される空気流Ａは、ダクトを出て、空間に供給される前に、更に冷却等の処理をされ得る。
【００１６】
収着材料３は、飽和する危険性がある程の大量の水分を取っている際、再度水分を放すことによって再生されなければならない。このためには、収着材料は、ポリマが溶液から出て水分が拒絶される臨界溶解温度を上回るまで、加熱される。低臨界溶解温度ポリマ（ＬＣＳＴポリマ）が収着材料として使用される際、この移行点は、約６０乃至７０℃等である水の沸点を明らかに下回る温度において、発生する。
【００１７】
本発明に従った加熱手段４は、臨界溶解温度を上回って一度に収着材料３の一部に対して適用される一方、該材料の残りは、この温度を下回って維持され、故にその通常の収着作用を保つ。コントロール６の影響を受けて、ダクトの流入側に対して近接する表面Ｓの一部Ｓ１は、例えば最初に加熱及び再生される。少量の水分Ｖ’は続いて、通過する湿り空気流ＭＡに対して放され、その後湿り空気流ＭＡは、表面Ｓの残りの部分に沿って通過する際、収着材料３に対してその水分を放し、よって乾燥されてダクトを出る。加熱される部分Ｓ１によって放される更に大部分の水分Ｖ’’は、表面Ｓにそって下方に流れ、続いて収集される。
【００１８】
コントロール６は、加熱ワイヤ５のネットワークの他の部分のスイッチをオンにし、その後の部分Ｓ２は、加熱及び再生される。湿り空気流ＭＡは、故に、まず第１の部分Ｓ１を通る際に乾燥され、続いて第２の部分Ｓ２において収着材料３から水分Ｖ’を取り、残りの表面Ｓによって再度更に乾燥される。ここでも、拒絶される水分Ｖ’’の更に大部分は、表面Ｓに沿って下方に再度流れる。
【００１９】
故に全体表面は、ネットワークの部分のスイッチを連続的にオン及びオフにすることによって、短時間で再生され得る。
【００２０】
本発明は、一実施例に基づいて上述されるが、それに制限されることはなく、添付の請求項の範囲内における多くの方途において変更され得る、ことは明らかである。
【図面の簡単な説明】
【００２１】
【図１】本発明に従った再生装置を備えられる収着ドライヤ又はクリーナの構造を示す、分解部分を有する斜視詳細図である。
【図２】ドライヤ又はクリーナの第１の部分の再生中における図１の再生装置を有する収着ドライヤ又はクリーナの概略的斜視図である。
【図３】ドライヤ又はクリーナのその他の部分の再生中における図２の収着ドライヤ又はクリーナに対応する図である。
【図１】
2009511261.tif 000003
【図２】
2009511261.tif 000004
【図３】
2009511261.tif 000005
【手続補正書】
【提出日】平成19年9月17日(2007.9.17)
【手続補正１】
【補正対象書類名】特許請求の範囲
【補正対象項目名】全文
【補正方法】変更
【補正の内容】
【特許請求の範囲】
【請求項１】
少なくとも１つの収着表面（Ｓ）を有する収着ドライヤ又はクリーナ（１）を再生する方法であって、
当該方法は、収着される物質が前記収着表面から分離される温度まで前記収着表面（Ｓ）を周期的に加熱することによるものであり、前記表面（Ｓ）は、固定されて維持され、加熱手段（４）の作用に対して周期的に露出され、
前記加熱手段（４）は、前記表面（Ｓ）に沿って分布されて配置される複数の加熱素子（５）を有し、前記表面（Ｓ）は、前記表面（Ｓ）に沿って前記加熱手段（４）の少なくとも活性部分を移動するよう、前記加熱素子（５）のスイッチをオン及びオフに交互に切り替えることによって前記加熱手段（４）の前記作用に対して周期的に露出される、
ことを特徴とする方法。
【請求項２】
前記表面（Ｓ）の異なる部分は、連続的に加熱される、
ことを特徴とする請求項１記載の方法。
【請求項３】
前記収着ドライヤ又はクリーナ（１）の一部の前記再生中、前記収着ドライヤ又はクリーナ（１）の残りの部分は、通常通り作動し続ける、
ことを特徴とする請求項１又は２記載の方法。
【請求項４】
前記表面（Ｓ）は、そこから分離される前記物質の沸点を下回る温度まで加熱される、
ことを特徴とする請求項１乃至３のうちいずれか一項記載の方法。
【請求項５】
少なくとも１つの収着表面（Ｓ）を有する収着ドライヤ又はクリーナ（１）を再生する装置であって、
収着される物質が前記表面から分離される温度まで前記表面（Ｓ）を周期的に加熱する手段（４）を有し、前記表面（Ｓ）は、固定されており、前記加熱手段（４）は、その作用に対して前記表面（Ｓ）を周期的に露出するよう適合され、
前記加熱手段（４）は、前記表面に沿って移動可能である少なくとも１つの活性部分を有し、前記加熱手段（４）は、前記表面（Ｓ）に沿って分布されて配置される複数の加熱素子（５）、及び、前記加熱素子（５）のスイッチをオン及びオフに交互に切り替えるコントロール（６）を有する、
ことを特徴とする再生装置。
【請求項６】
前記加熱手段（４）は、前記表面（Ｓ）の異なる部分を連続的に加熱するよう適合される、
ことを特徴とする請求項５記載の再生装置。
【請求項７】
前記加熱素子（５）は、ネットワークにおいて接続される加熱ワイヤである、
ことを特徴とする請求項５又は６記載の再生装置。
【請求項８】
前記加熱素子（５）及び前記コントロール（６）は、前記表面（Ｓ）に対して接続されるキャリア（７）において収容される、
ことを特徴とする請求項７記載の再生装置。
【請求項９】
前記加熱手段（４）は、前記表面（Ｓ）から分離される前記物質の沸点を下回る温度まで前記表面（Ｓ）を加熱するよう適合される、
ことを特徴とする請求項５乃至８のうちいずれか一項記載の再生装置。
【国際調査報告】
2009511261.tif 000006
2009511261.tif 000007
2009511261.tif 000008